(57)【要約】【課題】燃料と空気との混合ガスの生成を迅速かつ均一にして燃焼効率の向上を図れるようにすること。【解決手段】ポンプ１３からの空気によって圧送されるガソリンＧを貯留するタンク１と、バーナ５の下部に配設されるガス噴射ノズル８とタンク１とを連通し、ガス量調節器２を介設するジェネレータパイプ３と、ジェネレータパイプ３に接続されてタンク１内に挿入される混合ガス生成用の吸上げバルブ１５とを具備する。吸上げバルブ１５を、タンク１に設けられた吸引口１４に気水密に嵌合される接続継手１５ａの流通路に接続する内部パイプ１５ｃと、内部パイプ１５ｃとの間に隙間Ｓをおいて内部パイプ１５ｃを包囲し、上端側に空気導入口１５ｋを設け、かつ、内部パイプ１５ｃの下端より下方に延びる外部パイプ１５ｄと、外部パイプ１５ｄの下端開口部に嵌合されるフィルタ１５ｈ付き吸入部材１５ｉとで構成する。【選択図】　　　　図１
2004044854.tif 000002
【特許請求の範囲】
【請求項１】
バーナと、燃料を貯留する燃料タンクと、この燃料タンク内に圧送用気体を供給するポンプと、上記バーナの下部近傍位置に配設されるガス噴射ノズルと上記燃料タンクとを連通する混合ガス供給管と、この混合ガス供給管の連通路に介設されるガス量調節器と、上記混合ガス供給管に一端が接続されて上記燃料タンク内に挿入される混合ガス生成用の吸上げバルブとを具備する携帯用燃焼装置であって、
上記吸上げバルブは、上記燃料タンクに設けられた吸引口に気水密に嵌合される接続継手に設けられた流通路に接続する内部パイプと、この内部パイプとの間に隙間をおいて内部パイプを包囲すると共に、上端側に空気導入口を設け、かつ、内部パイプの下端より下方に延びる外部パイプと、この外部パイプの下端開口部に嵌合されるフィルタ付き吸入部材とを具備する、ことを特徴とする携帯用燃焼装置。
【請求項２】
請求項１記載の携帯用燃焼装置において、
上記フィルタ付き吸入部材は、下方に向かって拡開するテーパ孔と、このテーパ孔の上部に連通する吸入量調節用小孔とからなる吸入孔を有する段付円柱状の吸入部材本体と、この吸入部材本体における吸入孔の外方側に装着されるフィルタとで構成される、ことを特徴とする携帯用燃焼装置。
【請求項３】
請求項１又は２記載の携帯用燃焼装置において、
上記混合ガス供給管の一部に、バーナの上方近傍に迂回して配設されるジェネレータ部を形成すると共に、混合ガス供給管内における少なくともジェネレータ部にコイル部材を配設してなる、ことを特徴とする携帯用燃焼装置。
【請求項４】
請求項１ないし３のいずれかに記載の携帯用燃焼装置において、
上記ガス量調節器は、混合ガス供給管とガス噴射ノズルとを接続するガス量調節器本体と、混合ガス供給管とガス噴射ノズルに連通する連通路内に移動可能に挿入されると共に、連通路の内周面との間に調節空間を形成する弁体を有する操作軸と、この操作軸の先端に突設されて上記ガス噴射ノズルのノズル孔内に移動可能に挿入されるクリーニング用針とを具備する、ことを特徴とする携帯用燃焼装置。
【発明の詳細な説明】
【０００１】
【発明の属する技術分野】
この発明は、例えばキャンプや登山、あるいはフィールドワーク等において、野外で調理や湯沸かし等に使用される携帯用燃焼装置に関するものである。
【０００２】
【従来の技術】
従来、この種の携帯用燃焼装置として、バーナと、例えばガソリン等の燃料を貯留する燃料タンクと、この燃料タンク内に圧送用気体を供給するポンプと、バーナの下部近傍位置に配設されるガス噴射ノズルと燃料タンクとを連通する混合ガス供給管と、この混合ガス供給管の連通路に介設されるガス量調節器と、混合ガス供給管に一端が接続されて燃料タンク内に挿入される燃料吸上げ管とを具備する携帯用燃焼装置が知られている。
【０００３】
このように構成される携帯用燃焼装置を使用する場合は、ポンプによって燃料タンク内に圧送用空気を供給した状態で、ガス量調節器を開放側に操作することにより、燃料タンク内の燃料例えばガソリンは、燃料吸上げ管を介して混合ガス供給管側に吸い上げられ、この際、空気を取り込んで、ガソリンと空気の混合ガスを混合ガス供給管を介してガス噴射ノズルから噴射させ、着火手段による着火によって燃焼させている。このように、燃料にガソリンを使用することによって、液化石油ガス（ＬＰＧ）等のボンベを使用する燃焼装置に比べて高い燃焼効率が得られる。
【０００４】
【発明が解決しようとする課題】
しかしながら、従来のこの種の燃焼装置においては、燃料吸上げ管から吸い上げられて混合ガス供給管に流れる途中の燃料に空気を導入して混合ガスを生成するため、燃料と空気との混合が不十分となると共に、混合ガスの気化効率も低下し、高火力の燃焼が得られないという問題があった。また、混合ガスの混合割合が不十分であると、不完全燃焼となり、ガス噴射ノズルから混合ガスの噴射に影響を与えて更に燃焼効率の低下を招く虞があった。
【０００５】
この発明は、上記事情に鑑みなされたもので、燃料と空気との混合ガスの生成を迅速かつ均一にして燃焼効率の向上を図れるようにした携帯用燃焼装置を提供することを目的とするものである。
【０００６】
【課題を解決するための手段】
上記目的を達成するために、この発明の携帯用燃焼装置は、バーナと、燃料を貯留する燃料タンクと、この燃料タンク内に圧送用気体を供給するポンプと、上記バーナの下部近傍位置に配設されるガス噴射ノズルと上記燃料タンクとを連通する混合ガス供給管と、この混合ガス供給管の連通路に介設されるガス量調節器と、上記混合ガス供給管に一端が接続されて上記燃料タンク内に挿入される混合ガス生成用の吸上げバルブとを具備する携帯用燃焼装置であって、　上記吸上げバルブは、上記燃料タンクに設けられた吸引口に気水密に嵌合される接続継手に設けられた流通路に接続する内部パイプと、この内部パイプとの間に隙間をおいて内部パイプを包囲すると共に、上端側に空気導入口を設け、かつ、内部パイプの下端より下方に延びる外部パイプと、この外部パイプの下端開口部に嵌合されるフィルタ付き吸入部材とを具備することを特徴とする（請求項１）。
【０００７】
この発明において、上記フィルタ付き吸入部材を、下方に向かって拡開するテーパ孔と、このテーパ孔の上部に連通する吸入量調節用小孔とからなる吸入孔を有する段付円柱状の吸入部材本体と、この吸入部材本体における吸入孔の外方側に装着されるフィルタとで構成する方が好ましい（請求項２）。
【０００８】
また、上記混合ガス供給管の一部に、バーナの上方近傍に迂回して配設されるジェネレータ部を形成すると共に、混合ガス供給管内における少なくともジェネレータ部にコイル部材を配設する方が好ましい（請求項３）。
【０００９】
更には、上記ガス量調節器は、混合ガス供給管とガス噴射ノズルとを接続するガス量調節器本体と、混合ガス供給管とガス噴射ノズルに連通する連通路内に移動可能に挿入されると共に、連通路の内周面との間に調節空間を形成する弁体を有する操作軸と、この操作軸の先端に突設されて上記ガス噴射ノズルのノズル孔内に移動可能に挿入されるクリーニング用針とを具備する方が好ましい（請求項４）。
【００１０】
請求項１記載の発明によれば、混合ガス供給管に一端が接続されて燃料タンク内に挿入される混合ガス生成用の吸上げバルブを、燃料タンクに設けられた吸引口に気水密に嵌合される接続継手に設けられた流通路に接続する内部パイプと、この内部パイプとの間に隙間をおいて内部パイプを包囲すると共に、上端側に空気導入口を設け、かつ、内部パイプの下端より下方に延びる外部パイプと、この外部パイプの下端開口部に嵌合されるフィルタ付き吸入部材とで構成することにより、燃料タンク内に供給される空気の圧力によって燃料タンク内の燃料を、フィルタ付き吸入部材を介して内部パイプ内に吸上げる際、エジェクタ作用によって、空気導入口から外部パイプ内に導入された空気を内部パイプの開口部の全周から内部パイプ内の燃料中に迅速かつ均一に混入して霧状の混合ガスを生成することができる。また、フィルタによって燃料中に含有する不純物を除去することができる。
【００１１】
この場合、フィルタ付き吸入部材を、下方に向かって拡開するテーパ孔と、このテーパ孔の上部に連通する吸入量調節用小孔とからなる吸入孔を有する段付円柱状の吸入部材本体と、この吸入部材本体における吸入孔の外方側に装着されるフィルタとで構成することにより、テーパ孔から吸入量調節用小孔を介して内部パイプ内に吸上げる際、エジェクタ作用によって、空気導入口から外部パイプ内に導入された空気を内部パイプの開口部の全周から内部パイプ内の燃料中に更に迅速かつ均一に混入して霧状の混合ガスを生成することができる。
【００１２】
請求項３記載の発明によれば、混合ガス供給管の一部に、バーナの上方近傍に迂回して配設されるジェネレータ部を形成すると共に、混合ガス供給管内における少なくともジェネレータ部にコイル部材を配設することにより、吸上げバルブによって生成された霧状の混合ガスを拡散しつつスパイラル状に供給すると共にバーナにより加熱するので、混合ガスを効率良く気化することができる。
【００１３】
請求項４記載の発明によれば、ガス量調節器は、混合ガス供給管とガス噴射ノズルとを接続するガス量調節器本体と、混合ガス供給管とガス噴射ノズルに連通する連通路内に移動可能に挿入されると共に、連通路の内周面との間に調節空間を形成する弁体を有する操作軸と、この操作軸の先端に突設されてガス噴射ノズルのノズル孔内に移動可能に挿入されるクリーニング用針とを具備するので、ガス量調節器の操作に伴って確実にクリーニング用針を噴射ノズルのノズル孔内に移動することができる。したがって、ノズル孔内に付着する燃料中に含有される不純物や燃焼によって生じた煤等をクリーニング用針の往復動によって容易に除去することができる。
【００１４】
【発明の実施の形態】
以下に、この発明の実施形態を添付図面に基づいて詳細に説明する。
【００１５】
図１は、この発明に係る携帯用燃焼装置の一例の使用状態を示す断面図（ａ）、（ａ）のＩ部拡大断面図（ｂ）、図２は、上記携帯用燃焼装置の平面図（ａ）、（ａ）のＩＩ部拡大断面図（ｂ）、図３は、この発明における混合ガス生成用吸上げバルブの断面図（ａ）、（ａ）のＩＩＩ部拡大断面図（ｂ）及び（ａ）の拡大底面図（ｃ）である。
【００１６】
上記携帯用燃焼装置は、バーナ５と、燃料例えばガソリンＧを貯留する燃料タンク１と、この燃料タンク１内に圧送用気体である空気を供給するポンプ１３と、バーナ５の下部近傍位置に配設されるガス噴射ノズル８と燃料タンク１とを連通する混合ガス供給管であるジェネレータパイプ３と、このジェネレータパイプ３の連通路３０に介設されるガス量調節器２と、ジェネレータパイプ３に一端が接続されて燃料タンク１内に挿入される混合ガス生成用の吸上げバルブ１５とで主に構成されている。なお、バーナ５の外周部には、五徳６が装着されている。
【００１７】
上記燃料タンク１（以下にタンク１という）の上部側の一側壁には、ガソリンＧの供給口１１が設けられており、この供給口１１にはキャップ１２が着脱可能に被着されている。また、タンク１には、タンク１内に貯留されたガソリンＧを圧送するための圧送用空気を供給するピストン式のポンプ１３が設けられている。更には、後述する吸上げバルブ１５の内部パイプ１５ｃを接続する接続継手１５ａを気水密に嵌合する吸引口１４が設けられている。
【００１８】
上記混合ガス生成用の吸上げバルブ１５は、図１及び図３に示すように、タンク１に設けられた吸引口１４に気水密に嵌合される接続継手１５ａに設けられた流通路１５ｂに接続する内部パイプ１５ｃと、この内部パイプ１５ｃとの間に隙間Ｓをおいて内部パイプ１５ｃを包囲すると共に、上端側に空気導入口１５ｋを設け、かつ、内部パイプ１５ｃの下端より下方に延びる外部パイプ１５ｄと、この外部パイプ１５ｄの下端開口部に嵌合されるフィルタ付き吸入部材１５ｉとで構成されている。
【００１９】
この場合、フィルタ付き吸入部材１５ｉは、下方に向かって拡開するテーパ孔１５ｅと、このテーパ孔１５ｅの上部に連通する吸入量調節用小孔１５ｆとからなる吸入孔１５ｇを有する段付円柱状の吸入部材本体１５ｊと、この吸入部材本体１５ｊにおける吸入孔１５ｇの外方側に装着されるフィルタ１５ｈとで構成されている。なお、吸入部材本体１５ｊは、タンク１の容量すなわち燃焼装置の熱容量に応じて異なる所定の寸法の吸入量調節用小孔１５ｆを有するものが複数用意されており、目的に応じた吸入部材本体１５ｊが外部パイプ１５ｄに嵌合されるようになっている。一方、吸上げバルブ１５の外部パイプ１５ｄの上端側には複数例えば４個の空気導入口１５ｋが穿設されている。
【００２０】
上記のように構成される吸上げバルブ１５によれば、上記ポンプ１３によって加圧されたガソリンＧがフィルタ１５ｈを介して吸入孔１５ｇを流れて内部パイプ１５ｃ内を流れ込む際のエジェクタ作用によって空気導入口１５ｋから外部パイプ１５ｄ内に空気Ａが導入され、この空気Ａがガソリンに混入して霧状の混合ガスが生成される。このようにして生成された混合ガスはジェネレータパイプ３を介してガス噴射ノズル８側に供給される。
【００２１】
上記ジェネレータパイプ３は、内部全域に渡ってコイル部材３１が配設されており、また、バーナ５の上方付近に配設される略Ｕ字状に屈曲されるジェネレータ部３２を有している。なお、コイル部材３１は少なくともジェネレータ部３２に配設されていればよい。このように構成されるジェネレータパイプ３によれば、内部を流れる混合ガスがコイル部材３１によって拡散されながらスパイラル状に流れ、更に、バーナ５により加熱されるので、混合ガスを効率良く気化した状態でガス噴射ノズル８側に供給することができる。これにより、燃焼効率を良好にし、火力を高めることができる。
【００２２】
上記ガス量調節器２は、図１及び図４に示すように、ジェネレータパイプ３とガス噴射ノズル８とを接続する−ガス量調節器本体２０と、ジェネレータパイプ３とガス噴射ノズル８に連通する連通路３０内に移動可能に挿入されると共に、連通路３０の内周面との間に調節空間を形成するテーパ付き弁体２１を有する操作軸２２と、この操作軸２２の先端に突設されてガス噴射ノズル８のノズル孔８ａ内に移動可能に挿入されるクリーニング用針２３と、外方に突出する操作軸２２の基端側に断熱部材２４を介して装着される回転操作摘み２５と、ガス量調節器本体２０の上部に起立する起立片２６ａの上端から回転操作摘み２５の上方側に向かって上り勾配の傾斜片２６ｂを有する熱反射板２６とで主に構成されている。
【００２３】
このように、操作軸２２に装着される回転操作用摘み２５の基端側に断熱用部材２４と熱反射板２６を設けることによって、使用時に高温度下におかれるバーナ５の下部に位置するガス量調節器２の回転操作摘み２５部を断熱してガス量調節操作を容易に行うことができる。
【００２４】
なお、ガス量調節器本体２０の先端側には、ガス噴射ノズル８のノズル孔８ａに連通する混合ガス供給筒体７が接続されている。この混合ガス供給筒体７は、図１及び図５に示すように、取付筐体９の側壁９ａに設けられた挿通孔９ｂを介して取付筐体９内に挿入されている。この混合ガス供給筒体７における取付筐体９の外方側の部位には、複数例えば４個の空気導入口７ａが設けられている。
【００２５】
上記のように構成されるガス量調節器２によれば、ガス量調節器２の操作に伴って確実にクリーニング用針２３をガス噴射ノズル８のノズル孔８ａ内に移動することができるので、ノズル孔８ａ内に付着する燃料中に含有される不純物や燃焼によって生じた煤等をクリーニング用針２３の往復動によって容易に除去することができる。したがって、常時、最適量の混合ガスをガス噴射ノズル８のノズル孔８ａから噴射することができるので、燃焼効率の向上を図ることができると共に、燃焼装置の寿命の増大及び装置の信頼性の向上を図ることができる。
【００２６】
上記バーナ５は、截頭円錐状に形成されており、円錐部に多数の炎孔５１が穿設された炎孔板５２と、半球状の網状部材にて形成される混合ガス拡散部材５５とを具備している（図１（ｂ）参照）。このように構成されるバーナ５は、タンク１の上面に固設される有底筒状の取付筐体９の上端開口部に載置されている。この場合、取付筐体９は、底部の中心に貫挿される固定ねじ部材９１によってタンク１の上面に固設されている。
【００２７】
上記のように構成されるバーナ５の上面には、平面視で十字方向に延在する４個の支持片６ａを具備する五徳６が固設されている。この場合、隣接する２個の支持片６ａの一端部は円弧状の連結部６ｅによって連結されており、この連結部６ｅを、バーナ５の中心部に設けられた取付孔５ａに嵌合される取付筒体９２の外周に当接した状態で、上方から被着される固定冠部材９３によって固定されると共に、支持片６ａの下面に突設された係止爪６ｂが、バーナ５に設けられたスリット５ｂに係止された状態で、バーナ５に固設されている（図６参照）。なお、各支持片６ａの外方側は上方に隆起しており、この隆起部６ｃの上面に凹凸波形部６ｄが形成されている。
【００２８】
また、この発明に係る燃焼装置においては、バーナ５の外周側にドーナツ状のトレー９４が配設されている。この場合、トレー９４は、底部の一部に貫通孔９４ａが設けられており、この貫通孔９４ａにジェネレータパイプ３を案内して、内周縁部９４ｂを、上記取付筐体９の開口部外周に設けられた環状段部９５に載置させた状態で係止されている。
【００２９】
上記のように構成されるバーナ５、五徳６及びトレー９４を組み付けた状態で、上方から取付筒体９２に貫挿される取付ボルト９６を、固定ねじ部材９１に設けられた取付ねじ部９１ａに螺合させて、バーナ５、五徳６及びトレー９４が固定される。また、取付ボルト９６を取付ねじ部９１ａから取り外すことによって、バーナ５、五徳６及びトレー９４を分割してタンク１から取り外して洗浄することができる（図５参照）。
【００３０】
上記のように構成される携帯用燃焼装置を使用する場合は、まず、タンク１内にガソリンＧを貯留した状態で、ポンプ１３を操作してタンク１内に圧送用空気を供給する。この状態で、回転操作摘み２５を操作して弁体２１を開方向に移動すると、タンク１内のガソリンＧは、タンク１内の空気圧によって吸上げバルブ１５の下端のフィルタ１５ｈによって濾過されて吸入孔１５ｇを流れて内部パイプ１５ｃ内を流れ込む。この際のエジェクタ作用によって空気導入口１５ｋから外部パイプ１５ｄ内に空気Ａが導入され、この空気ＡがガソリンＧに混入して霧状の混合ガスが生成される。このようにして生成された混合ガスは、ジェネレータパイプ３を介してガス噴射ノズル８側に供給され、ガス噴射ノズル８のノズル孔８ａから噴射され着火手段（図示せず）の着火によって燃焼される。燃焼後に、ジェネレータパイプ３内を流れる霧状の混合ガスはコイル部材３１によって螺旋状に流れる一方ジェネレータ部３２においてバーナ５から加熱されるので、確実に蒸発・気化されてガス噴射ノズル８側に供給されるので、燃焼効率の向上が図れる。また、混合ガスを蒸発して効率良く気化することにより、タンク１内の圧送用空気の容量の減少を抑制することができるので、ポンプ１３を頻繁に操作する必要がなくなる。
【００３１】
更には、ガス量調節器２の操作に伴って確実にクリーニング用針２３をガス噴射ノズル８のノズル孔８ａ内に移動することができるので、ノズル孔８ａ内に付着する燃料中に含有される不純物や燃焼によって生じた煤等をクリーニング用針の往復動によって容易に除去することができる。したがって、ガス噴射ノズル８のノズル孔８ａを常時清浄な状態にすることができるので、燃焼効率の向上が図れると共に、燃焼装置の寿命の増大及び装置の信頼性の向上が図れる。
【００３２】
【発明の効果】
以上に説明したように、この発明によれば、上記のように構成されているので、以下のような優れた効果が得られる。
【００３３】
（１）請求項１記載の発明によれば、燃料タンク内に供給される空気の圧力によって燃料タンク内の燃料を、フィルタ付き吸入部材を介して内部パイプ内に吸上げる際、エジェクタ作用によって、空気導入口から外部パイプ内に導入された空気を内部パイプの開口部の全周から内部パイプ内の燃料中に迅速かつ均一に混入して霧状の混合ガスを生成することができる。また、フィルタによって燃料中に含有する不純物を除去することができるので、燃焼効率の向上が図れ、高火力の携帯用燃焼装置を得ることができる。
【００３４】
この場合、フィルタ付き吸入部材を、下方に向かって拡開するテーパ孔と、このテーパ孔の上部に連通する吸入量調節用小孔とからなる吸入孔を有する段付円柱状の吸入部材本体と、この吸入部材本体における吸入孔の外方側に装着されるフィルタとで構成することにより、テーパ孔から吸入量調節用小孔を介して内部パイプ内に吸上げる際のエジェクタ作用を更に高めて、空気導入口から外部パイプ内に導入された空気を内部パイプの開口部の全周から内部パイプ内の燃料中に更に迅速かつ均一に混入して霧状の混合ガスを生成することができる（請求項２）。
【００３５】
（２）請求項３記載の発明によれば、混合ガス供給管の一部に、バーナの上方近傍に迂回して配設されるジェネレータ部を形成すると共に、混合ガス供給管内における少なくともジェネレータ部にコイル部材を配設するので、上記（１）に加えて更に混合ガス生成管によって生成された霧状の混合ガスを拡散しつつスパイラル状に供給すると共にバーナにより加熱するので、混合ガスを効率良く気化することができ、更に燃焼効率の向上が図れる。
【００３６】
（３）請求項４記載の発明によれば、ガス量調節器の操作に伴って確実にクリーニング用針を噴射ノズルのノズル孔内に移動することにより、上記（１）、（２）に加えて更にノズル孔内に付着する燃料中に含有される不純物や燃焼によって生じた煤等をクリーニング用針の往復動によって容易に除去することができ、ガス噴射ノズルのノズル孔を常時清浄にするので、更に燃焼効率の向上が図れると共に、燃焼装置の寿命の増大及び装置の信頼性の向上が図れる。
【図面の簡単な説明】
【図１】この発明に係る携帯用燃焼装置の一例の使用状態を示す断面図（ａ）及び（ａ）のＩ部拡大断面図（ｂ）である。
【図２】上記携帯用燃焼装置の平面図（ａ）、（ａ）のＩＩ部拡大断面図（ｂ）である。
【図３】この発明における混合ガス生成用吸上げバルブを示す断面図（ａ）、（ａ）のＩＩＩ部拡大断面図（ｂ）及び（ａ）の拡大底面図（ｃ）である。
【図４】この発明におけるガス量調節器を示す拡大断面図（ａ）及び（ａ）のＩＶ部拡大断面図（ｂ）である。
【図５】上記携帯用燃焼装置を分解して示す断面図である。
【図６】この発明におけるバーナと五徳及びトレーの取付状態を示す拡大断面図である。
【符号の説明】
１　タンク（燃料タンク）
２　ガス量調節器
３　混合ガス通路
５　バーナ
８　ガス噴射ノズル
１３　ポンプ
１４　吸引口
１５　混合ガス生成用の吸上げバルブ
１５ａ　接続継手
１５ｂ　流通路
１５ｃ　内部パイプ
１５ｄ　外部パイプ
１５ｅ　テーパ孔
１５ｆ　吸入量調節用小孔
１５ｇ　吸入孔
１５ｈ　フィルタ
１５ｉ　フィルタ付き吸入部材
１５ｊ　吸入部材本体
１５ｋ　空気導入口
２０　ガス量調節器本体
２１　弁体
２２　操作軸
２３　クリーニング用針
３１　コイル部材
３２　ジェネレータ部
Ｇ　ガソリン（燃料）
Ａ　空気
Ｓ　隙間
【図１】
2004044854.tif 000003
【図２】
2004044854.tif 000004
【図３】
2004044854.tif 000005
【図４】
2004044854.tif 000006
【図５】
2004044854.tif 000007
【図６】
2004044854.tif 000008